(57)【要約】【課題】１つで両方の乳房を覆うことができ、かつ、それぞれの乳房を所定の位置にしっかりと保持することができ、装着者の動作や姿勢の変化によっても、乳房の位置がずれることのない母乳パッドを提供すること。【解決手段】本発明に係る母乳パッド１０は、乳房を被覆する第１及び第２区域２０，２１と、それらの間に位置する第３区域２２に画成されており、第３区域２２の上下側縁部１０ａ，１０ｂのうちの少なくともいずれか一方が母乳パッド１０の横軸Ｘに向かって凹状に形成されている。【選択図】図１
2008202167.tif 000002
【特許請求の範囲】
【請求項１】
縦軸及び横軸と、肌当接側及び非肌当接側と、前記縦軸の方向に対向して前記横軸方向に延びる上下側縁部とを有し、前記肌当接側に位置する体液透過性の内面シートと体液吸収パネルとからなる体液吸収層と、前記非肌当接側に位置する体液防漏性の外面シートとから構成され、装着者の乳房を被覆し、前記縦軸に関して対称である第１及び第２区域と、前記第１及び第２区域の間にこれらと連続して位置する第３区域とに画成された母乳パッドにおいて、
前記第３区域における前記上下側縁部のうちの少なくともいずれか一方が前記横軸へ向かって凹状に形成されていることを特徴とする前記母乳パッド。
【請求項２】
前記第１及び第２区域うちの少なくともいずれか一方における前記上下側縁部において、前記横軸方向へ延びる弾性伸縮部材が伸長下に固定されている請求項１に記載の母乳パッド。
【請求項３】
前記第３区域における凹状の側縁部が弧状に湾曲している請求項１又は２に記載の母乳パッド。
【請求項４】
前記上下側縁部が前記体液吸収パネルの上下側縁からそれぞれ前記縦軸の方向へ延出する上下側縁フラップから形成されるとともに、前記上下側縁フラップが前記内面シートの延出縁部と前記外面シートの延出縁部とから形成されており、前記弾性伸縮部材が前記外面シートの延出縁部の外側縁に沿って伸長下に固定された第１弾性伸縮部材と、前記外面シートにおいて前記体液吸収パネルの上下側縁に沿って伸長下に固定された第２弾性伸縮部材とから構成されている請求項２に記載の母乳パッド。
【請求項５】
前記第３区域において前記横軸へ向かって凹状に形成されている側縁部の側に位置する前記体液吸収パネルの側縁が、前記横軸と交差していない請求項１〜４のいずれかに記載の母乳パッド。
【請求項６】
前記第３区域において前記横軸へ向かって凹状に形成されている側縁部と対向する側の側縁部が直線状を有し、前記直線状の側縁部において弾性伸縮部材が前記第１区域から前記第２区域に渡って一連に延びている請求項１に記載の母乳パッド。
【請求項７】
前記第３区域における前記体液吸収パネルの前記縦軸の方向の寸法が前記第１及び第２区域における前記体液吸収パネルの前記縦軸の方向の寸法の０．４〜０．８倍である請求項１〜６のいずれかに記載の母乳パッド。
【請求項８】
前記体液吸収パネルのテーバー法による前記縦軸の方向の剛軟度が０．０１５〜０．１Ｎｃｍである請求項１〜７のいずれかに記載の母乳パッド。
【発明の詳細な説明】
【技術分野】
【０００１】
この発明は、ブラジャー等の内側に装着する母乳パッドに関する。
【背景技術】
【０００２】
従来、肌当接側に位置する透液性シートと、非肌当接側に位置する不透液性シートと、これらシートの間に介在した体液吸収性コアとから構成された母乳パッドは公知である。例えば、特許文献１には、体液を吸収する吸収体と、吸収体の外側に固定された防水材とから構成されるパッド本体と、吸収体の両側縁部それぞれに配置された伸縮部材とを備え、伸縮部材の収縮力によってパッド本体が各々の乳房の形状に適合した立体的形状を呈する一対の母乳パッドが開示されており、特許文献２には、フィルム層と吸水層とを互いに接着し、積層シートを折り畳み、両乳房を被覆することのできるように一連に構成した横長形状の母乳パッドが開示されている。
【特許文献１】特開２０００−１７８８０５号公報
【特許文献２】特開２００４−３３２１７８号公報
【発明の開示】
【発明が解決しようとする課題】
【０００３】
通常、授乳期においては、恒常的に母乳が分泌され、乳腺に蓄積された母乳が乳頭から溢出したり、生理的現象として、授乳中に授乳をしている乳房と逆側の乳房の乳頭から母乳が排泄されるので、特許文献１に記載されているような、一般によく使用されている互いに分離した一対の母乳パッドを装着した場合には、排泄される母乳の量がパッドの許容吸収量を超えて、パッドから母乳が滲出することがある。
【０００４】
また、夜間の就寝時や乳児が夜泣きした際に、仰臥した乳児に対し、母親が授乳をする乳房の側へ横臥した状態で添い寝をしながら授乳をすることがあるが、その際、ブラジャーの連結部を取り外した状態となるので、ブラジャーによる吊持力は解除され、授乳をしていない側の、上方に位置する乳房と母乳パッドには自重により下方へ（授乳をしている乳房の側へ）向かう力が働く。その際、母乳パッドはブラジャーや衣服に止着されているため乳房と連動して下方へずれ下がることはなく、乳房のみが垂れ下がって外部へ露出し、その乳頭から排泄される母乳が身体をつたって下方へ流れ落ち、衣服を汚してしまう。
【０００５】
一方、特許文献２に記載の母乳パッドによれば、図５に示されているとおり、１つの母乳パッド１１０で両方の乳房１３０，１３１を覆うことができ、乳房１３０と乳房１３１の間の胸部に母乳パッドが存在するので、互いに分離した一対の母乳パッドに比べて吸収体の総面積が広くなり、より多量の母乳を吸収することができる。また、装着者が横臥した状態で授乳をする際にも、授乳をしていない側の乳房の乳頭から流れ落ちてくる母乳が乳房１３０，１３１の間の胸部から外部へ漏れ出ることは少ない。
【０００６】
しかし、この母乳パッド１１０は着用者の肩幅程度の横寸法を有する略楕円形状であって、乳房１３０，１３１の間の胸部にそれらを隔てる仕切りとなるものがなく、乳房１３０，１３１を被覆する部位がそれぞれの乳房の形状に沿うように形成されていないため、母乳パッド１１０内において乳房１３０，１３１は安定的に保持されておらず、装着者の大きな動作や姿勢の変化によって上下左右にそれらの位置がずれてしまう。特に、装着者が横臥した状態で授乳をするときには、乳房が母乳パッド１１０内で下方へ（授乳をしている乳房の側へ）垂れ下がり、その乳頭１３０ａ，１３１ａが母乳パッド１１０の内面に当接していない状態となるので、乳頭から排泄された母乳がパッド１１０に吸収されず、身体をつたわって下方に流れ、衣服を汚すことがある。
【０００７】
そこで、この発明は、以上のような課題を解決するためになされたものであって、この発明のその他の目的は、以下のこの発明の説明から理解されうるものである。
【課題を解決するための手段】
【０００８】
前記課題を解決するためのこの発明は、縦軸及び横軸と、肌当接側及び非肌当接側と、前記縦軸の方向に対向して前記横軸方向に延びる上下側縁部とを有し、前記肌当接側に位置する体液透過性の内面シートと体液吸収パネルとからなる体液吸収層と、前記非肌当接側に位置する体液防漏性の外面シートとから構成され、装着者の乳房を被覆し、前記縦軸に関して対称である第１及び第２区域と、前記第１及び第２区域の間にこれらと連続して位置する第３区域とに画成された母乳パッドに係わる。
【０００９】
この発明の特徴とするところは、前記第３区域における前記上下側縁部のうちの少なくともいずれか一方が前記横軸へ向かって凹状に形成されていることにある。
【００１０】
この発明は、下記の好ましい実施の形態を含んでいる。
【００１１】
前記第１及び第２区域うちの少なくともいずれか一方における前記上下側縁部において、前記横軸方向へ延びる弾性伸縮部材が伸長下に固定されている形態。
【００１２】
前記第３区域における凹状の側縁部が弧状に湾曲している形態。
前記上下側縁部が前記体液吸収パネルの上下側縁からそれぞれ前記縦軸の方向へ延出する上下側縁フラップから形成されるとともに、前記上下側縁フラップが前記内面シートの延出縁部と前記外面シートの延出縁部とから形成されており、前記弾性伸縮部材が前記外面シートの延出縁部の外側縁に沿って伸長下に固定された第１弾性伸縮部材と、前記外面シートにおいて前記体液吸収パネルの上下側縁に沿って伸長下に固定された第２弾性伸縮部材とから構成されている形態。
【００１３】
前記第３区域において前記横軸へ向かって凹状に形成されている側縁部の側に位置する前記体液吸収パネルの側縁が、前記横軸と交差していない形態。
【００１４】
前記第３区域において前記横軸へ向かって凹状に形成されている側縁部と対向する側の側縁部が直線状を有し、前記直線状の側縁部において弾性伸縮部材が前記第１区域から前記第２区域に渡って一連に延びている形態。
【００１５】
前記第３区域における前記体液吸収パネルの前記縦軸の方向の寸法が前記第１及び第２区域における前記体液吸収パネルの前記縦軸の方向の寸法の０．４〜０．８倍である形態。
【００１６】
前記体液吸収パネルのテーバー法による前記縦軸の方向の剛軟度が０．０１５〜０．１Ｎｃｍである形態。
【発明の効果】
【００１７】
この発明に係る母乳パッドによれば、一つの母乳パッドで装着者の両乳房を覆うことができ、かつ、乳房と乳房の間の胸部に位置する第３区域の上下側縁部のうちの少なくともいずれか一方が母乳パッドの横軸へ向かって凹状に形成されているので、乳房が母乳パッド内部において安定的に保持され、装着者の大きな動作や姿勢の変化によってもそれらの位置がずれることはなく、位置ずれによる母乳漏れを生じるおそれはない。
【００１８】
この発明に係る好ましい実施の形態による特記すべき効果として、次の効果を挙げることができる。
【００１９】
第１及び第２区域のうちの少なくともいずれか一方の上下側縁部において、母乳パッドの横軸の方向に延びる弾性伸縮部材が伸長下に固定されている場合には、弾性伸縮部材が固定されている第１及び又は第２区域が乳房の形状に適した立体的なドーム形状を有するので、その第１及び／又は第２区域内に乳房がよりフィットして、確実に乳房を所定の位置に保持することができる。
【００２０】
第３区域の凹状の側縁部が湾曲形状である場合には、側縁部に角が形成されないので、第３区域がブラジャーの連結部によって身体に押し付けられ、側縁部が肌に当接したとしても、肌に違和感を与えるおそれはない。
【００２１】
弾性伸縮部材が上下側縁フラップにおいて非肌当接面側に位置する体液防漏性の外面シートに固定されているので、弾性伸縮部材の収縮力が肌に直接的に影響を与えることはなく、肌に収縮力による違和感を与えたり、圧迫マークが付くおそれはない。
【００２２】
第３区域において凹状に形成された側縁部側に位置する体液吸収パネルの側縁部が横軸と交差していない場合には、装着者が横臥した状態で授乳をする際に、上方から流れ落ちてくる母乳を下方に位置する第３区域の体液吸収パネルで確実に吸収することができる。
【００２３】
直線状の側縁部において弾性伸縮部材が一連に延びている場合には、第１及び第２区域のみならず第３区域も弾性伸縮部材の収縮力によって肌へ密着するので、乳房と乳房の間の胸部から母乳が漏出するのを効果的に防止することができる。
【００２４】
第３区域における体液吸収パネルの縦軸方向の寸法が第１及び第２区域における体液吸収パネルの縦軸方向の寸法の０．４〜０．８倍の場合には、第３区域において内方へ凸状に延びる側縁部が壁となり上方に位置する乳房が下方へ垂れ下がることはなく、上方から流れ落ちてくる母乳を第３区域で確実に吸収することができる。
【００２５】
体液吸収パネルのテーバー法による縦軸方向の剛軟度が０．０１５〜０．１Ｎｃｍの場合には、弾性伸縮部材の収縮力によって第１及び第２区域が乳房の形状に適したドーム形状を呈し、かつ、ブラジャーの連結部によって肌に押し付けられた第３区域が変形して肌に密着し、母乳の横漏れを効果的に防止することができる。
【発明を実施するための最良の形態】
【００２６】
添付図面を参照して、この発明に係る母乳パッドの実施の形態を説明すると、以下のとおりである。
【００２７】
図１は母乳パッドを外面から見た部分破断斜視図、図２は図１のＩＩ−ＩＩ線に沿う模式的断面図を示す。図１及び図２に示すように、母乳パッド１０は、縦軸Ｙ及び横軸Ｘと肌当接側Ｉ及び非肌当接側Ｏとを有し、体液吸収層１１と、体液防漏性の外面シート１２とから構成されており、乳房を被覆する第１及び第２区域２０，２１と、第１区域２０と第２区域２１との間にこれらと連続して位置する第３区域２２とに画成されている。また、母乳パッド１０は縦軸Ｙに関して面対称であって、全体としてほぼ砂時計形状を有している（図３参照）。
【００２８】
体液吸収層１１は、体液吸収パネル１３と、その肌当接面側Ｉを被覆する体液透過性の内面シート１４とから構成されている。体液吸収パネル１３は、体液吸収性コア１５の全面を体液拡散性の保形シート１６で被覆して形成されている。
【００２９】
体液吸収性コア１５は、フラッフパルプを主材としこれに高吸収性ポリマー粒子を混合して形成されているパネルで、保形シート１６はティッシュペーパーなどから作られ、保形シート１６に間欠的に塗布されたホットメルト接着剤（図示せず）を介して体液吸収性コア１５に対する被覆状態を維持し、体液吸収性コア１５を保形するとともに、体液吸収性コア１５の材料、特にポリマー粒子の脱落を防止している。
【００３０】
内面シート１４は、肌当接側Ｉに位置する、好ましくは重量１０〜４０ｇ／ｍ２の熱可塑性合成繊維不織布又は開孔プラスチックフィルム、好ましくはスパンボンドやエアースルー等の繊維不織布から作られ、内面シート１４に間欠的に塗布されたホットメルト接着剤１７を介して体液吸収パネル１３に対する被覆状態を維持している。内面シート１４はこれら繊維不織布及び開孔プラスチックフィルムの複数層から形成されていてもよい。内面シート１４の側縁１４ａとホットメルト接着剤１７の塗布領域の側縁部１７ａとは、体液吸収パネル１３の側縁１３ａ，１３ｂから縦軸Ｙの方向へ延出している。
【００３１】
外面シート１２は、体液吸収パネル１３に対向して非肌当接側Ｏに位置する、好ましくは重量１０〜４０ｇ／ｍ２のプラスチックフィルム１８と、プラスチックフィルム１８及び体液吸収パネル１３の外周縁部に位置して母乳パッド１０の外面を形成してブラジャーに対向する、好ましくは重量１０〜４０ｇ／ｍ２の熱可塑性合成繊維の繊維不織布１９、好ましくはスパンボンド・メルトブロー・スパンボンド（ＳＭＳ）のラミネート繊維不織布等とから構成され、プラスチックフィルム１８と熱可塑性合成繊維の繊維不織布１９とはプラスチックフィルム１８の周縁部においてホットメルト接着剤（図示せず）によって接合されている。
【００３２】
このように、母乳パッド１０の外面が繊維不織布１９で形成されている場合には、プラスチックフィルム１８で形成されている場合に比べ、ブラジャー等の着用物品に対して滑りにくくなるため、着用物品から母乳パッド１０がずれるおそれはない。また、ずれ防止のために過度の接着を必要としないので、接着面積や接着剤の塗布量を低減することができる。
【００３３】
繊維不織布１９の両側縁部は、母乳パッド１０の内側へ折り返されてスリーブ２３を形成している。スリーブ２３の両側縁部は、体液吸収パネル１３の両側縁から縦軸Ｙの方向へ内面シート１４の両側縁部１４ａとほぼ同寸法で延出している。ただし、外面シート１２は、プラスチックフィルム１８とその外面にラミネートした、スリーブ２３を形成していない繊維不織布１９とから構成され、後記弾性伸縮部材２５がそれらの間に介在するものであってもよい。
【００３４】
母乳パッド１０は、体液吸収パネル１３の外周縁から延出する外面シート１２と内面シート１４の各部分によって、上下側縁フラップ（以下、上下側縁部という）１０ａ，１０ｂと、左右端縁フラップ（以下、両端縁部という）１０ｃ，１０ｃとが形成されている（図１参照）。上下側縁部１０ａ，１０ｂは、外面シート１２の延出側縁部１２ａと内面シート１４の延出側縁部１４ａとから形成され、両端縁部１０ｃ，１０ｃは、外面シート１２の延出端縁部１２ｃと内面シート１４の延出端縁部１４ｃとから形成されている。
【００３５】
延出側縁部１２ａ，１４ａは、体液吸収パネル１３の側縁１３ａから縦軸Ｙの方向へ延出し、かつ、延出側縁部１２ａ，１４ａの外縁から横軸Ｘの方向へ離間する部位に位置する接着剤１７の塗布領域の側縁部１７ａによって接合されている。
【００３６】
第１及び第２区域２０，２１における上下スリーブ２３内には、天然又は合成ゴムから作られ、好ましくは引張力１１５〜５００ｍＮを有する第１及び第２弾性伸縮部材２５ａ，２５ｂが、縦軸Ｙの方向に所与寸法離間して横軸Ｘの方向に延び伸長下にホットメルト接着剤（図示せず）を介して固定されている。具体的に言えば、第１弾性伸縮部材２５ａはスリーブ２３の側縁に沿って横軸Ｘ方向へ延び、第２弾性伸縮部材２５ｂは第１弾性伸縮部材２５ａと内側へ並行に離間する体液吸収パネル１３の側縁１３ａ，１３ｂの非肌当接側Ｏにあって該側縁１３ａ，１３ｂに沿って横軸Ｘの方向に延びている。第１弾性伸縮部材２５ａは、その収縮力によって、第１及び第２区域２０，２１の上下側縁部１０ａ，１０ｂを装着者の肌に密着させるように、かつ、第２弾性伸縮部材２５ｂは、その収縮力によって、第１及び第２区域２０，２１における高度の可撓性を有する外面シート１２及び内面シート１４に比較して剛性の高い体液吸収パネル１３をそれらシート１２，１４とともに肌当接側Ｉが凹面状になるように湾曲させるので、第１及び第２区域２０，２１はそれぞれ乳房の形状に適合したドーム形状を呈している。
【００３７】
このように弾性伸縮部材２５は外面シート１２の両側縁部１２ａに固定されているので、装着者の肌に直接当接する内面シート１４の側縁部１４ａには弾性伸縮部材２５の伸長応力が直接及ばない。したがって、内面シート１４の側縁部１４ａには、装着者に違和感を覚えさせたり、装着者の肌に圧迫マークを与えたりするようなギャザーが生ずることがなく、内面シート１４の側縁部１４ａが装着者の肌に密着し、両側縁部１０ａ，１０ｂからの母乳漏れを有効に防止することができる。ただし、後記のように、装着者が横臥した状態で授乳をする際に、授乳をしていない側の乳房が下方へ垂れ下がらないようにする限りにおいては、弾性伸縮部材２５は、第１又は第２区域２０，２１のうちの少なくともいずれか一方の上下側縁部１０ａ，１０ｂに固定されていればよい。
【００３８】
第１及び第２区域２０，２１における外面シート１２の外面には、母乳パッド１０をブラジャーや衣服に貼りつけるためのずれ止め用の感圧性接着剤２６とそれを被覆するためのセパレータ２７とが横軸Ｘの方向に延びている。このように、第１及び第２区域２０，２１のそれぞれにズレ止め用の感圧性接着剤２６が配置されているので、授乳時に、どちらか一方の区域の止着が解除された場合であっても、他方の区域はブラジャー等に止着された状態のまま維持されるので、母乳パッド１０が脱落してしまうおそれはない。
【００３９】
図３は、内面シート１４とスリーブ２３を取り除いた母乳パッド１０の内部平面図である。
【００４０】
既述のとおり、母乳パッド１０は、乳房を覆う第１及び第２区域２０，２１が弾性伸縮部材２５の収縮力によって乳房の形状に適合した立体的形状を呈するとともに、第３区域２２の両側縁部１０ａ，１０ｂも母乳パッド１０の内方に向かって弧状に湾曲しているので、第１及び第２区域２０，２１が全体として乳房にいわば嵌合する状態で適合する。したがって、装着者の大きな動作や姿勢の変化によって乳房３０，３１の位置が妄りにずれることはない。
【００４１】
すなわち、授乳期においては、夜間の就寝時や乳児が夜泣きしたときに、母親が授乳をする側へ向かって横臥した状態で添い寝をしながら授乳をすることがある。授乳の際には生理的現象として、授乳をしている乳房とは逆側の乳房の乳頭からも母乳が排泄されるので、従来使用されている個々の乳房を被覆する互いに分離した一対の母乳パッドを使用した場合には、授乳をしていない側の乳房の乳頭から排泄された母乳が下方へ（授乳をしている乳房の側へ）流れ、乳房と乳房の間の胸部から外部へ漏出してしまう。このような場合に、図５に示されている従来の母乳パッド１１０を用いた場合には、両乳房１３０，１３１が１つの母乳パッド１１０に覆われているので、下方へ流れた母乳が乳房１３０と乳房１３１の間の胸部から外部へ漏出するおそれはない。また、このように乳房１３０と乳房１３１の間の胸部にパッドが存在しているので、互いに分離した一対の母乳パッドに比べ、体液吸収パネルの面積が広くなり、母乳の吸収能力の向上を図ることができる。
【００４２】
しかし、母乳パッド１１０は両乳房を被覆する横長の楕円形状を有するものであって、乳房と乳房の間の胸部を覆う部位にこれらを隔てる機能がなく、それぞれの乳房の形状に適合する立体的な形状を有するものではない。したがって、装着者の大きな動作や姿勢の変化によって、母乳パッド１１０内で乳房１３０，１３１の位置が上下左右にずれてしまう。このように、乳房が所望の位置（概ね乳頭が横軸Ｘ軸上近傍にある位置）にない場合には装着者は違和感を覚えるので、乳房の位置がずれる度に乳房の位置を修正しなければならず、手間が掛かり煩わしい。
【００４３】
さらに、装着者が横臥した状態で授乳をする際には、母乳パッドはブラジャーや衣服の内面に止着されているので、乳房に連動して下方へずれることはなく、例えば、装着者が横臥した状態で乳房１３０で授乳をする場合には、乳房１３１のみがその自重により下方へ垂れ下がってしまう。このように母乳パッド１１０内において乳房１３１の位置が下方へずれた場合には、乳頭１３１ａが母乳パッド１１０内において母乳パッド１１０の内面に当接しない状態となるので、乳頭１３１ａから排泄された母乳が身体をつたわって下方に流れ、衣服を汚すことがある。
【００４４】
一方、本発明の母乳パッド１０によれば、弾性伸縮部材２５の収縮力によって乳房を被覆する第１及び第２区域２０，２１が乳房の形状に適合した立体的形状を呈し、また、乳房３０，３１間の胸部に位置する第３区域２２が横軸Ｘへ向かって凹状に湾曲しているので、乳房３０，３１がそれぞれ第１及び第２区域２０，２１内に安定的に保持される。したがって、たとえ装着者が横臥した状態になっても、上方の乳房が下方へずれてしまうおそれはない。すなわち、例えば、装着者が横臥して一方の乳房３０で授乳をしている場合であっても、第３区域の上下側縁部１０ａ，１０ｂが壁となり、他方の乳房３１が第３区域２２を横切って下方へ（乳房３０の側へ）垂れ下がることはなく、乳頭３１ａが母乳パッド１０の内面に当接された状態が維持されるので、乳頭３１ａから排泄された母乳を下方に位置する第３区域２２において速やかにかつ確実に吸収することができる。
【００４５】
このように、第１及び第２区域２０，２１内において乳房３０，３１が所望の位置に安定的に保持されるためには、第３区域２２の両側縁部１０ａ，１０ｂのうちの少なくともいずれか一方が横軸Ｘへ向かって凹状に形成されていることが必要である。この横軸Ｘへ向かって凹状に形成されている第３区域２２の上下側縁部１０ａ，１０ｂの形状は、弧状に湾曲しているものではなく、角形であってもよい。ただし、弧状に湾曲している場合には、角形の場合と異なり側縁部に角が形成されないので、乳房３０，３１の内側が第３領域２２の湾曲した側縁部に当接した場合であっても、肌に違和感を与えるおそれはない。
【００４６】
また、乳頭３０ａ，３１ａから排泄された母乳を第３区域２２でもより確実に吸収するためには、母乳パッド１０の横軸Ｘから第３区域２２の両側縁部１０ａ，１０ｂが所与寸法離間していることが好ましい。その理由は、母乳パッド１０の装着時には、乳房３０，３１の乳頭３０ａ，３１ａは概ね母乳パッド１０の横軸Ｘ上近傍に位置しているので、第３区域２２における体液吸収パネル１３の側縁部１３ａ，１３ｂが横軸Ｘと交差する程に内方へ凹状に形成されている場合には、装着者が横臥して授乳する際に、上方から流れ落ちてくる母乳を第３区域２２における体液吸収パネル１３でより確実に吸収することができず、第３区域２２の両側縁部１０ａ，１０ｂから外方へ母乳が漏出してしまうおそれがあるからである。第３区域２２における体液吸収パネル１３の縦軸Ｙの方向の寸法Ｎは、母乳パッドの大きさによって前記不具合が生じない程度の長さを有するように適宜変更されるべきであるが、例えば、体液吸収パネル１３の横軸Ｘの方向の寸法Ｌが約２５０ｍｍ、第１及び第２区域における縦軸Ｙの方向の寸法Ｍが約１００ｍｍの場合には、第３区域２２における縦軸Ｙの方向の寸法Ｎが４０〜８０ｍｍであることが好ましい。
【００４７】
第１区域２０と第２区域２１とは、既述のとおり、弾性伸縮部材２５の収縮力によってそれぞれの乳房の形状に適合した立体的な形状を有し、かつ、その両側縁部１０ａ，１０ｂが身体へ密着するが、第３区域２２には弾性伸縮部材２５が配置されていないので、身体から離れ易い。しかし、母乳パッド１０をブラジャーに介装させた場合には、ブラジャーのカップ部間に位置する連結部によって第３区域２２が身体に押し付けられるので、第３区域２２が肌に密着し、ブラジャーを外した状態であっても、その柔軟な保形性により肌への密着状態が維持され、乳頭３０ａ，３１ａから排泄された母乳を第３区域２２で吸収することができる。このような効果を奏するための、好ましい体液吸収パネル１３のテーバー法（ＪＩＳ  Ｐ８１２５）による縦軸Ｙの方向の剛軟度は０．０１５〜０．１Ｎｃｍ、さらには好ましくは０．０１８〜０．０３Ｎｃｍである。体液吸収パネル１３の剛軟度が０．０１５Ｎｃｍ以下の場合には、体液吸収性パネルとしては比較的に高い可撓性を有することになるので、弾性伸縮部材２５の収縮力によって体液吸収パネル１３が必要以上に湾曲し、乳房の形に適合した立体的形状を呈することができなくなり、また、体液吸収パネル１３の剛軟度が０．１Ｎｃｍ以上の場合には、比較的に高い剛性を有することとなり、優れた保形性によって外圧を受けても変形し難くなるので、弾性伸縮部材２５の収縮力によっても乳房の形状に適合した立体的形状を呈することがなく、また、ブラジャーの連結部によって第３区域２２が装着者の身体へ押し当てられた場合であっても、第３区域２２が身体にフィットする程度に変形しなくなるからである。
【００４８】
図４は、母乳パッド１０の他の実施の形態を示す図３と同様の平面図である。
【００４９】
この実施の形態は、図３に示された実施の形態と基本的構成において同一の部分が多いので、説明の重複を避けるため、図３の実施の形態と相違する点についてのみ述べる。この実施の形態は、図３の実施の形態とは異なり、母乳パッド１０の下側縁部１０ｂが横軸Ｘの方向へ直線状に延び、第１及び第２区域２０，２１における上側縁部１０ａが縦軸Ｙ方向外側へ向かって凸となる円弧状を有しており、弾性伸縮部材２５が下側縁部１０ｂにおいて第１区域２０から第２区域２１に渡って一連に延びている。この実施の形態によれば、第１及び第２区域２０，２１の上側縁部１０ａが乳房の外形に沿うような円弧状を有し、下側縁部１０ｂに弾性伸縮部材２５が固定されているので、乳房３０，３１の上下部が第１及び第２区域２０，２１内にフィットし、図３の実施の形態と同様に、装着者の姿勢が変化しても乳房３０，３１の位置がずれることはない。ただし、乳房３０，３１の位置ずれを防止する限りにおいては、上側縁部１０ａが直線状であり、下側縁部１０ｂが円弧状を有するものであって、弾性伸縮部材２５が、その直線状の上側縁部１０ａにおいて第１区域２０から第２区域２１に渡って一連に延びていてもよい。また、乳房３０，３１をより安定的に保持するために、直線状の側縁部のみならず、第１及び第２区域２０，２１における円弧状を有する側縁部においても、弾性伸縮部材２５が固定されていてもよい。
【図面の簡単な説明】
【００５０】
【図１】母乳パッドを非肌当接側である外面から見た部分破断斜視図。
【図２】図１のＩＩ−ＩＩ線に沿う模式的断面図。
【図３】母乳パッドの内部を示す平面図。
【図４】母乳パッドの他の実施の形態を示す図３と同様の平面図。
【図５】従来の母乳パッドの平面図。
【符号の説明】
【００５１】
１０  母乳パッド
１０ａ  母乳パッドの上側縁部
１０ｂ  母乳パッドの下側縁部
１１  体液吸収層
１２  外面シート
１３  体液吸収パネル
１４  内面シート
２０  第１区域
２１  第２区域
２２  第３区域
２５  弾性伸縮部材
２５ａ  第１弾性伸縮部材
２５ｂ  第２弾性伸縮部材
Ｙ      縦軸
Ｘ      横軸
【図１】
2008202167.tif 000003
【図２】
2008202167.tif 000004
【図３】
2008202167.tif 000005
【図４】
2008202167.tif 000006
【図５】
2008202167.tif 000007